(57)【要約】【課題】  本発明は、複数の電子画像情報を順次、指定した送信先に容易に自動送信できる電子カメラ及び画像送信装置を提供することを目的とする。【解決手段】  本発明の電子カメラは、撮像回路を備えた電子カメラにおいて、前記撮像回路からの画像信号を撮影毎にメモリ部に記録する画像記録手段と、前記メモリ部から画像情報を読み出す画像読み出し手段と、前記画像読み出し手段により読み出された前記画像情報に対して、送信先を示す固有の指定先情報を少なくとも一つ関連づけ、前記メモリ部に、前記画像信号と前記指定先情報とを関連付けられた情報として一体的に記録する関連付け手段と、  前記指定先情報が関連付けられた画像情報と、前記画像情報に対応する前記指定先情報とを同時に表示する表示装置とを備えることとした。【選択図】  図１
2008295073.tif 000002
【特許請求の範囲】
【請求項１】
撮像回路を備えた電子カメラにおいて、
前記撮像回路からの画像信号を撮影毎にメモリ部に記録する画像記録手段と、
前記メモリ部から画像情報を読み出す画像読み出し手段と、
前記画像読み出し手段により読み出された前記画像情報に対して、送信先を示す固有の指定先情報を少なくとも一つ関連づけ、前記メモリ部に、前記画像信号と前記指定先情報とを関連付けられた情報として一体的に記録する関連付け手段と、
前記指定先情報が関連付けられた画像情報と、前記画像情報に対応する前記指定先情報とを同時に表示する表示装置とを備えたことを特徴とする電子カメラ。
【請求項２】
請求項１の電子カメラにおいて、
前記指定先情報が外部装置或いは、前記カメラの操作装置により入力される情報記憶手段を更に備え、
前記表示装置は、ユーザによる前記操作装置の操作に応じて前記情報記憶手段から選択して読み出された前記指定先情報を表示することを特徴とする電子カメラ。
【請求項３】
請求項２の電子カメラにおいて、
確定スイッチを更に備え、
前記関連付け手段は、前記表示装置に前記画像情報の画像と前記前記指定先情報とが表示されている状態で、前記確定スイッチに対するユーザの操作を受け付けると、前記メモリ部に前記画像信号と前記指定先情報とを関連付けられた情報として一体的に記録することを特徴とする電子カメラ。
【請求項４】
請求項１の電子カメラにおいて、
前記メモリ部に記憶された前記指定先情報に基づき、前記画像情報の情報を送信するための送信装置を内蔵し、或いは前記送信装置が外付けできることを特徴とする電子カメラ。
【請求項５】
請求項１の電子カメラに接続され、前記指定先情報に基づき、自動的に送信回線に接続する自動送信回路を含み、前記画像情報を送信することを特徴とする画像送信装置。
【請求項６】
電子カメラの撮像回路からの画像信号を撮影毎にメモリ部に記録する画像記録手順と、
前記メモリ部から画像情報を読み出す画像読み出し手順と、
前記画像読み出し手順において読み出された前記画像情報に対して、送信先を示す固有の指定先情報を少なくとも一つ関連づけ、前記メモリ部に、前記画像信号と前記指定先情報とを関連付けられた情報として一体的に記録する関連付け手順と、
前記指定先情報が関連付けられた画像情報と、前記画像情報に対応する前記指定先情報とを同一の表示装置に同時に表示させる表示手順と有することを特徴とする指定先情報記録方法。
【発明の詳細な説明】
【技術分野】
【０００１】
本発明は、電子画像を記憶できる電子カメラ、画像情報を送信できる画像送信装置及び画像情報に対して送信先を示す固有の指定先情報を記録する指定先情報記録方法に関するものであり、電子カメラは静止画と動画を扱うカメラを含むものである。
【背景技術】
【０００２】
従来の電子カメラは、撮影した画像をカメラ内のメモリ部（内蔵メモリ、フロッピーデスク（登録商標）、メモリーカード等の記録媒体）へ記憶しておき、そして、当該記録画像を他のパソコン等へ送信するときには、電話回線を利用していた。
【発明の開示】
【発明が解決しようとする課題】
【０００３】
従来の電子カメラは、撮影済みの電子画像情報に付帯させてIDナンバー、電話番号等の指定先番号を記憶させることができなかった。
【０００４】
そのため、電子カメラを携帯電話等に接続し、送り先のパソコンのIDナンバー、電話番号等を指定しなければならなった。
【０００５】
具体的には、撮影済みの電子画像情報を外部に電送（送信）する場合には、携帯電話経由で送信毎に送り先の電話番号等を設定して、送る必要があった。また、電子画像情報を一旦、パソコン等に落として、送信毎に送信先のパソコンのIDナンバー、電話番号等を指定して，自己のパソコンから当該電子画像情報を電話回線を介して送信しなけらばならなかった。更に、送信先が画像毎に異なる場合にはその送信操作が煩雑であった。
【０００６】
そこで、本発明は、上記の如き従来の課題を解決する電子カメラ及び画像送信装置を提供することを目的とする。
【課題を解決するための手段】
【０００７】
上記課題を解決するために、本願請求項１に記載の電子カメラは、撮像回路を備えた電子カメラにおいて、前記撮像回路からの画像信号を撮影毎にメモリ部に記録する画像記録手段と、前記メモリ部から画像情報を読み出す画像読み出し手段と、前記画像読み出し手段により読み出された前記画像情報に対して、送信先を示す固有の指定先情報を少なくとも一つ関連づけ、前記メモリ部に、前記画像信号と前記指定先情報とを関連付けられた情報として一体的に記録する関連付け手段と、  前記指定先情報が関連付けられた画像情報と、前記画像情報に対応する前記指定先情報とを同時に表示する表示装置とを備えることとした。
【０００８】
請求項２に記載の電子カメラは、請求項１の電子カメラにおいて、前記指定先情報が外部装置或いは、前記カメラの操作装置により入力される情報記憶手段を更に備え、前記表示装置は、ユーザによる前記操作装置の操作に応じて前記情報記憶手段から選択して読み出された前記指定先情報を表示することとした。
【０００９】
請求項３に記載の電子カメラは、請求項２の電子カメラにおいて、確定スイッチを更に備え、前記関連付け手段は、前記表示装置に前記画像情報の画像と前記前記指定先情報とが表示されている状態で、前記確定スイッチに対するユーザの操作を受け付けると、前記メモリ部に前記画像信号と前記指定先情報とを関連付けられた情報として一体的に記録することとした。
【００１０】
請求項４に記載の電子カメラは、請求項１の電子カメラにおいて、前記メモリ部に記憶された前記指定先情報に基づき、前記画像情報の情報を送信するための送信装置を内蔵し、或いは前記送信装置が外付けできることを特徴とする電子カメラ。
【００１１】
請求項５に記載の画像送信装置は、請求項１の電子カメラに接続され、前記指定先情報に基づき、自動的に送信回線に接続する自動送信回路を含み、前記画像情報を送信することとした。
【００１２】
請求項６記載の指定先情報記録方法は、電子カメラの撮像回路からの画像信号を撮影毎にメモリ部に記録する画像記録手順と、前記メモリ部から画像情報を読み出す画像読み出し手順と、前記画像読み出し手順において読み出された前記画像情報に対して、送信先を示す固有の指定先情報を少なくとも一つ関連づけ、前記メモリ部に、前記画像信号と前記指定先情報とを関連付けられた情報として一体的に記録する関連付け手順と、前記指定先情報が関連付けられた画像情報と、前記画像情報に対応する前記指定先情報とを同一の表示装置に同時に表示させる表示手順と有することとした。
【発明の効果】
【００１３】
本発明によれば、撮影済みの電子画像情報及び電子画像情報に関連付けられた指定先情報を記憶できるので、電話回線等を使用して複数の電子画像情報を順次、指定した送信先に容易に自動送信できる。
【発明を実施するための最良の形態】
【００１４】
以下、本発明の実施形態を説明する。
（第一の実施形態）
第一の実施形態は、図１及び図２に基づき説明する。図１は、電子カメラ（図２）の回路ブロック図を示す。図２は、電子カメラを背面から見た図である。図３は、電子カメラの表示装置の表示状態の説明図である。図４は、図１の電子カメラのマイクロコンピュータのフローチャート図である。
【００１５】
まず、本実施形態の概要を説明する。本実施形態の電子カメラは、撮影した電子画像情報に、その情報の送信先である固有の指定先番号情報（IDナンバー、電話番号等）を関連付けて、当該電子画像情報と指定先番号情報とをともに記憶する。この電子カメラにおいて、撮影済みの電子画像情報に指定先番号情報を関連付ける場合に、撮影毎に指定先番号情報を関連付けてもよし、また撮影終了後に一括して指定先番号情報を関連付けてもよい。これら電子画像情報と、関連付けられた指定先番号情報とは、電子カメラのメモリ部（内蔵の固体メモリ、フロッピーデスク、メモリーカード等の記録媒体）に記憶される。なお、１つの電子画像情報に、複数の指定先番号情報を関連付けることもでき、このようにしておけば、同一画像を複数の送信先へ一度に送信できる。
【００１６】
そして、この電子カメラは、携帯電話等の画像送信装置と接続することで、電子画像情報が指定先番号情報に基づき、外部装置（パソコン、ファクシミリ等）へ自動送信できる。あるいは電子カメラからの赤外線通信によって、画像情報と共に指定先番号情報がパソコン等の機器に送信されることで、当該機器から外部の装置へ画像情報を自動的に送信できる。本実施形態の電子カメラによれば、従来のシステムに比べて、送信時に画像毎の送信先等の指定が不要であり、送信操作がより簡易化される。また、送信装置は、電話回線に限らず、インターネットのような各種通信（送信）回線を使用できる。もちろん、これらの送信方法は、有線でも、無線でもよい。
【００１７】
以下、電子カメラの構成を具体的に説明する。
【００１８】
マイクロコンピュータ１（以下、マイコン１という）は、撮影した電子画像情報に指定先番号情報を関連付ける関連付け処理部１aを備えると共に、撮影済みの電子画像情報及び電子画像情報に関連付けられた指定先番号情報を記憶するメモリ部１bを備えている。
【００１９】
撮像回路２は、撮像回路であるCCDと、撮像回路からの画像情報を処理する画像処理回路とを備えている。
【００２０】
モードスイッチ３は、電子画像情報に関連付ける送信先名及び電話番号を新規入力する関連付けモード（図３(A)）、既に設定済みの送信先名及び電話番号を点滅させて、それらを更新する更新モード（図３(A)）、送信中に送信経過に沿って送信画像を順次表示して送信状態を表示する送信モード（図３(B)）又は送信結果を確認する確認モード（図３(C)）を切り換えられる。
【００２１】
アップ・ダウンスイッチ４は、モードスイッチ３の設定に応じて各種情報の設定に用いられ、例えば、電話番号リストメモリ７からの指定先番号情報を順次、表示部６a、６bに表示させたり、または、撮影済み電子画像情報を順次、送り操作する操作スイッチである。
【００２２】
電話番号確定スイッチ５は、各種情報の設定に用いられ、例えば、表示部６に表示された電子画像情報に、送信先の指定先番号情報を関連付けさせる。このスイッチ５により、電子画像情報と指定先番号情報とが一体の情報となる。なお、電子画像情報１つに対して、複数の指定先番号情報が関連付けられ、１つの画像を複数人に送信できる。
【００２３】
表示部６には、電子画像情報を液晶表示するLCD表示部6cと、指定先番号情報表示部（即ち、氏名表示部6aと電話番号表示部6b）とから構成される。このLCD表示部６cには、撮影済みの電子画像情報又は現在撮影中の電子画像情報を表示できる。指定先番号情報を関連付ける場合には、LCD表示部６a-６cを見ながらその操作が可能である。
【００２４】
指定先番号情報リストメモリ７は、EEPROM、フロッピーディスク等の書き換え可能な記録媒体を用いており、電子カメラ本体或いは外部パソコン１１から指定先番号情報が入力され、記憶される。例えば、電子カメラ本体で指定先番号情報を入力できるように、電子カメラに電話番号入力用の数字入力キーと氏名入力用のアルファベットキーとを設ける。
【００２５】
レリーズスイッチ８は、電子カメラで撮影を開始する為のスタートスイッチである。
【００２６】
送信スイッチ９は、指定先番号情報の関連付けられた電子画像情報を外部受信装置（パソコン或いは電話）に送り出すスイッチである。送信スイッチ９のオンにより、関連付けられた指定先番号情報に基づき、各電子画像情報が電話回線等の通信回線を介して送信先のパソコンに順次、送信される。
【００２７】
画像読出しスイッチ１０は、指定先番号情報を電子画像情報と関連付ける為に、撮影済みの記録された電子画像情報を表示部６に読み出す為のスイッチである。
【００２８】
外部パソコン或いはカメラの操作設定回路（外部装置）１１は、電話番号リストメモリ７に入力する電話番号リストのデータを作成するものであり、この装置１１により作成されたデータが電話番号リストメモリ７に入力される。
【００２９】
赤外線通信用の赤外線(Irda)発振器１２は、マイコン１のメモリ部１ｂに記録された情報を、赤外線通信により外部パソコン２０に送信するものである。そして、外部パソコン２０は、電子画像情報の送信先である外部パソコン２２にインターネット通信を介して電子画像情報を送信する。
【００３０】
電話送信回路２１は、電子カメラに内蔵された送信回路から構成され、或いは電子カメラに接続できる携帯電話から構成されている。この電話送信回路２１は、マイコン１のメモリ部１ｂに記録された情報を、電話回線を介して送信先の外部パソコン２２に送信するものである。
【００３１】
図４は、上記電子カメラのマイクロコンピュータ１のフローチャート図であり、ステップS1-S10を次に説明する。
【００３２】
ステップS1：電源オンによりCCDを含む撮像回路２が作動し、撮影準備動作が開始する。撮影準備動作中は、撮像回路２により処理された画像がLCD表示部6cに表示される。
ステップS2：レリーズスイッチ８がオンすると、撮像回路２により処理された画像信号がマイクロコンピュータ１の画像処理部に送られる。
ステップS3：マイクロコンピュータ１で画像処理された電子画像信号としてメモリ部１ｂに格納される。
ステップS4：関連付けモードにあるか否かを判定する。関連付けモードにあれば、ステップS5に進み。
【００３３】
ステップS5：メモリ部1bに記録された撮影済みの電子画像情報と指定先番号情報とを関連付けるため、画像読みだしスイッチ１０を操作して撮影済み電子画像情報をLCD表示部６Cに読み出す。
【００３４】
ステップS6：読み出された電子画像情報に、送信先の名称と電話番号等とを関連付けするために、電子画像情報を表示部6cに表示するとともに、氏名表示部6aと電話番号表示部6bを表示する。新規入力の場合には、両表示部は未入力状態を示する。更新入力の場合には、アップ・ダウンスイッチ４の操作により所望の電子画像情報を選択し、確定スイッチ５を押してその電子画像情報を確定する。同時に、氏名表示部6aと電話番号表示部6bに既に入力されている文字等を表示する。そして、入力を受け付ける状態を示すために、氏名表示部6aと電話番号表示部6bが順次点滅状態になる（図３(A)）。
【００３５】
ステップS7、S8、S9：点滅された氏名表示部6aに入力する場合には不図示の文字キーを用いて行う。引き続き、点滅された電話番号表示部6bに入力する場合には電話番号リストメモリ部７から所望の電話番号をアップダウンスイッチ４を用いて選択し入力する。
そして、電話番号をセットするために、セットスイッチ５を用いる（図３(A)）。セットスイッチ５により電話番号等の情報がセットされると、撮影済みの電子画像情報と指定先番号情報とが関連付けられた処理済み電子画像情報を、メモリ部１bに記録する。
【００３６】
ステップS10：ステップS4において送信モードであれば、ステップS10に進み。
【００３７】
ステップS11：送信スイッチ９がオンされているか否かを判定し、オンであればステップS12に進む。
【００３８】
ステップS12：既に撮影済みの電子画像情報と指定先番号情報とが関連付けられた処理済み電子画像情報を、赤外線発振器１２を介してパソコン２０に一旦、送信する。そして、このパソコン２０から指定された送信先の別のパソコン２２に電子画像情報を送信する。或いは、電子画像情報を、電話送信回路２１を介して指定された送信先のパソコン２２に送信する（図１）。
【００３９】
その際には、図３(B)に示されるように送信状況が表示される。この場合は、表示部6Cに４駒が表示されるようになっており、順次、送信が完了する毎に駒が送られ表示される。マーク6dは、電話回線を介して送信が完了されたことを示し、送信完了時に処理済み電子画像情報に付帯される。また、マーク6eは、赤外線通信により送信されたことを示し、送信完了時に処理済み電子画像情報に付帯される。
【００４０】
ステップS13：確認表示モードが設定されると、ステップS14に進む。
【００４１】
ステップS14：確認表示モードは、既に送信されている電子画像情報がどのような送信手段により送信されたかを確認するものである。従って、撮影済みの電子画像情報を、図３(c)のように表示部6cに９駒づつ表示するようにして、使用された送信手段を示すマーク6d, 6eを画像情報とともに表示する。このようにすれば、どの駒の画像が送信されていないか、あるいは、どのような送信手段により送信されたかを知ることができる。
【００４２】
ステップS15：通常の撮影状態時の表示を行う。従って、電源立ち上げに応じて、撮像回路２からの電子画像を表示する。既に公知の撮影中の表示と同様の動作である。
【００４３】
発明の画像記憶手段はメモリ部１ｂに対応する。発明の画像読み出し手段は画像読み出しスイッチ１０に対応する。発明の関連付け手段は関連付け処理部１ａに対応する。発明の情報記憶手段は電話番号リストメモリ７に対応する。発明の外部装置或いはカメラの装置は、外部パソコン或いはカメラ操作設定回路１１に対応する。発明の送信装置は、赤外線発振器１２或いは電話送信回路２１に対応する。発明の外部表示装置は、液晶表示装置６に対応する。発明の自動送信回路は、電話送信回路２１に対応する。
（第二の実施態様）
第二の実施態様は、メモリーカードに電子画像情報を記録する電子カメラと、当該メモリーカードの着脱が可能な携帯電話との画像送信システムである。電子カメラは、撮影した電子画像情報と当該情報に関連付けられた指定先番号情報とを、メモリーカードに記憶する構成である。また、このメモリーカードを着脱できる携帯電話は、メモリーカードが装填されることで指定先番号情報に基づき自動的にダイヤルを開始し、電話回線で相手先に電子画像情報を送信できる構成である。
【００４４】
第二の実施態様の図５の電子カメラと、第一の実施形態の電子カメラとの相違は、記録媒体にある。第二実施態様の電子カメラは、電子画像情報と当該画像情報に関連付けられた指定先番号情報とからなる処理済み電子画像情報を、メモリカード等の着脱可能の記録媒体に記録できるものである点に特徴がある。その他の構成は、第一実施態様の電子カメラと同一構成であり、同一の符号を付してある。
【００４５】
また、第二の実施態様の図７の携帯電話（送信装置）は、上記メモリカードを装着でき、メモリカードに記録された処理済み電子画像情報に基づき自動的に電子画像を指定先に送信できる構成を具備している。図５乃至図８は、第二の実施態様を説明する図である。図５(A)は、電子カメラの外観図であり、図５(B)は、電子カメラのブロック図を示す。図６は、電子カメラのマイクロコンピュータのフローチャート図である。図７(A)は、送信装置である携帯電話の外観図であり、図７(B)は、携帯電話のブロック図である。
図８は、携帯電話のマイクロコンピュータのフローチャート図である。
【００４６】
第二の実施態様の電子カメラは、第一の実施態様の電子カメラとほぼ構成を同じであり、異なる構成について以下説明する。
【００４７】
図５の電子カメラは、基本的には第一実施態様で説明したものと同じであり、異なるところはメモリーカード３０を装着でき、メモリーカード３０の装着口がカメラボディ底部に設けられていることである。メモリーカード３０には電子画像情報と、当該画像情報に関連付けられた指定先番号情報とからなる処理済み電子画像情報のみが記録されている。
【００４８】
具体的には、図６に示すように、電子カメラの電源が立ち上がると、マイコンが起動し、図４と同様にステップS1〜ステップS9の動作が行われる。そして、ステップS16において、電子カメラにメモリカードが装着されているか否かを判断し、装着されていれば、ステップS17に進む。
【００４９】
ステップS17において、メモリ部1bに格納されている、電子画像情報と当該画像情報に関連付けられた指定先番号情報とからなる処理済み電子画像情報のみを、メモリカード３０に転送する。電子カメラのマイコン１は、メモリカード３０の装着を検出して、自動的にメモリ部１bの処理済み電子画像情報のみをメモリカード３０に転送開始する。従って、メモリーカード３０が電子カメラに装着されていないときには、処理済み電子画像情報はメモリ部１bに記録され、保持されていることになる。なお、処理されていない電子画像情報を、メモリーカード３０に転送するには、アップダウンスイッチ４において所望の電子画像情報を選択し、セットスイッチ５を押すことで行われる。
【００５０】
次に、上記メモリカード３０の装着により、自動的に指定先に電子画像情報を転送する携帯電話について、図７及び図８に基づき説明する。
【００５１】
メモリーカード３０には、第一実施形態で説明したのと同様に、電子カメラで撮影した電子画像情報と、当該情報に関連付けられた指定先番号情報とが記憶できる。このメモリーカード３０は、送信用の電話４０にも装填できる（図７(A)）。
【００５２】
図７(B)は、電話４０の回路ブロック図を示している。
【００５３】
図７(B)において、マイクロコンピュータ４１（以下、マイコン４１）は、自動送信回路４１aを備え、自動送信回路４１ａは送信モードにおいてメモリーカード３０の装着を検知して、自動的に指定先番号情報に基づき電子画像情報の送信を開始する。
【００５４】
表示装置４２は、送信する電子画像情報を確認できる。
【００５５】
設定スイッチ４３は、電話のテンキー（数字０−９）である。
【００５６】
モードスイッチ４４は、送信モードを選択するものであり、電子画像情報を選択して送信する選択送信モードと、メモリーカード３０内の全ての電子画像情報を一括送信する一括送信モードとが選択できる。
【００５７】
送信スイッチ４５は、送信モードの設定に従って、電子画像情報の送信を開始するものである。
【００５８】
図８は電話４０ののマイクロコンピュータ４１のフローチャート図であり、ステップS20-S26を次に説明する。
【００５９】
ステップS20：モードスイッチ４４の操作により、選択送信モードと一括送信モードとのいずれかを選択する。選択送信モードが選択されると、ステップS21に進む。
ステップS21：選択送信モードが開始される。
【００６０】
ステップS22：液晶表示装置４２には、４枚の電子画像情報が表示され、一覧できる。 ステップS23：この一覧表示の中から、所望の電子画像情報を選択する。その選択は、設定スイッチ４３のテンキーの「０」を使用して行う。次の４枚の電子画像情報を液晶表示装置４２に表示させる。その表示操作は、設定スイッチ４３のテンキー「１」を使用して行う。この操作を順次、繰り返し、電子画像情報を選択する。
ステップS24：所望の電子画像情報の選択が終了したら、設定スイッチ４３のテンキー「２」を使用して、選択終了を確定させる。この操作により、送信画像が表示装置４２に表示される。
ステップS25：送信スイッチ４５を操作することで、選択された電子画像情報が指定先番号情報に従って送信される。
【００６１】
ステップS26：送信が終了したか、或いは失敗したかが表示される。失敗したのであれば、再度上記手順に従って、再操作する。
【００６２】
ステップS27：モードスイッチ４４において一括送信モードが選択されると、一括送信モードが開始される。
【００６３】
ステップS28：液晶表示装置４２には、４枚の電子画像情報が表示され、一覧できる。そして、設定スイッチ４３のテンキー「１」を使用して、次の４枚の電子画像情報を表示させる。これを繰り返すことで、一括送信する電子画像情報を確認できる。
【００６４】
その後の送信操作は、上述したとおりである。
【００６５】
第三実施態様のシステムは、電子カメラにより撮影された電子画像情報を記録したメモリーカード等の記録媒体に、１つ或いは複数の固有の指定先情報（ここでは、送信先の電話番号などの指定先番号情報及び送信先の名称等を含む）を付与できる（図９のS30-34）。そして、このメモリーカード３０を電話機のカードスロットに挿入すると、付与されている固有の指定先情報に基づいてメモリーカード内の電子画像情報を自動的に送信先に送信する構成である（図１１のS40-S44）。
【００６６】
また、図１０の画像送信装置である電話機は、メモリーカードスロットを装備し、モニターではメモリーカードの電子画像情報を送信前に確認できる（図１１のS42,S43）。また、電話機は、メモリーカードに付与された固有指定先情報を無視して、使用者が送信時に設定した指定先情報に基づき、電子画像情報を選択して送信もできる（図１１のS47-S50）。
以下、具体的に説明する。
【００６７】
第三実施態様の電子カメラ（図５）は、第二実施態様の電子カメラにさらに付加機能がついている。この電子カメラCAは、メモリーカード３０に固有の指定先情報を付与できる構成となっている。なお、通常は、メモリーカード３０には専用の電話番号等の情報（固有の指定先情報）が付与されており、その情報を変更したい時には図９のステップS32-S34を実行することになる。
【００６８】
具体的には、電子カメラのマイクロコンピュータ１では、図９のメモリーカードに専用の電話番号等（固有の指定先情報）を付与するフローが実行される。
【００６９】
ステップS30：電子カメラの装着口にメモリーカード３０を装着されたか否かを検出する。
【００７０】
ステップS31、S32：電子カメラにメモリーカード３０が装着されると、モードスイッチ３によりメモリーカード３０に固有の指定先情報を付与するメニューを選択する。
【００７１】
ステップS33：メニューから設定モードを選択すると、その後、電話番号リストメモリ７から１つの電話番号をアップダウンスイッチ４を用いて選択する。
【００７２】
ステップS34：セットスイッチ５により専用の電話番号等の情報（固有の指定先情報）を設定する。
【００７３】
ステップS35：モードスイッチ３にてメニューから画像選択モードが設定されると、メモリーカード３０に記録された電子画像情報を表示部６にサムネイル表示する。
【００７４】
ステップS36：サムネイル表示された電子画像情報の中から、送信したい画像をアップダウンスイッチ４で選択し、確定スイッチ５を使って確定する。確定された電子画像情報には、送信の可否を示す可否情報が付帯する。
【００７５】
なお、通常は、メモリーカード３０に記録された電子画像情報は、すべて送信されるように自動的選択されており、間引いて所望の画像のみを送りたいときにモードスイッチ３を使用してステップS35,S36を実行する。
図１０の画像送信装置である電話機は、テレビ電話用のカメラ５０と、電話番号等の入力用のキー部材５１と、テレビ電話等の表示用の表示部（モニター）５２と、外部から画像信号受信するための赤外線通信機能用のIrDA受信部５３と、送信を途中でキャンセルするためのキャンセルスイッチ５４と、画像信号等の送信開始を指示する送信スイッチ５５と、メモリーカードを挿入できる装着口（スロット）５６とから構成されている。
【００７６】
図１１では、図１０の電話機のマイクロコンピュータの処理フローを説明している。
【００７７】
ステップS40：メモリーカード３０の装着を検出して、メモリーカード３０に付与された専用の電話番号等の情報（固有の指定先情報）を認識する。
【００７８】
ステップS41：送信スイッチ５５がオンされたか否かを検出しており、メモリーカード３０の電子画像情報を指定された送信先に送信するか否かを判断する。
【００７９】
ステップS42：送信スイッチ５５がオンされていれば、メモリーカード３０に記録されている電子画像情報を電話機のモニター５２にサムネイル表示するとともに、送信先の名称等を表示する。あるいは、電子カメラ上で既に送信する電子画像情報が選択されていれば、その選択された電子画像情報をサムネイル表示するとともに、送信先の名称等を表示する。
【００８０】
なお、このサムネイル表示された画像の中から、送信する画像を選択することもできる（後述のステップS48と同様の方法で選択）。
【００８１】
ステップS43：送信スイッチ５５がオンされたことを検出する。メモリーカード３０に付与されている電話番号に基づき電子画像情報を送信するために、再度、意思確認を兼ねて送信スイッチ５５のオンを確認する。
ステップS44：送信スイッチ５５をオンしたが、電子画像情報を送信キャンセルしたい場合には、キャンセルスイッチ５４をオンすることで可能である。
【００８２】
ステップS45：電子画像情報に付帯した送信の可否情報を判断して、送信「可」の電子画像情報のみ送信する。電子画像情報の送信が終了すると、送信終了のメッセージをモニター５２に表示する。
【００８３】
ステップS46：電子画像情報の送信が終了すると、メモリーカード３０を電話機のスロット５６より送出する。
【００８４】
ステップS47：送信スイッチ５５がオンされていない場合には、メモリーカード３０に付与する専用の電話番号等の情報（固有の指定先情報）を手動にて設定する。具体的には、メモリーカード３０に既に電話番号が付与されている場合には、その電話番号を無視して、手動設定された電話番号が使用される。
【００８５】
ステップS48：メモリーカード３０に記録されている電子画像情報を電話機のモニター５２にサムネイル表示する。その中から送信したい電子画像情報を電話機のモニター５２に設置されているタッチパネルスイッチでもって選択する。
【００８６】
選択された画像はサムネイル画像の枠が点灯する。サムネイル画像を次の画面に進めるためには、モニター５２上の「進む」、「戻る」のタッチパネルスイッチを押すことで実行できる。
選択した画像をキャンセルするためには、点灯している画像枠のタッチパネルスイッチを再度、押すことで可能である。
【００８７】
ステップS49：送信スイッチ５５をオンしたか否かを検出する。送信スイッチ５５がオンされると、ステップS50に進む。
【００８８】
ステップS50：メモリーカード３０に既に電話番号が付与されている場合には、その電話番号を無視して、手動設定された電話番号の送信先に電子画像情報が送信される。
【００８９】
以上説明したように、第三実施態様は、メモリーカード３０に付与された専用の電話番号等の情報（固有の指定先情報）に基づき、カード内の電子画像情報を送信先に自動的に送信できるので、いろいろな使用方法が考えられる。たとえば、個人ユーザであれば、旅行などの出先において記念写真を撮ったものを専用のメモリーカードに記録し、該メモリーカードに付与されたID番号（自宅のパソコンへつながる番号）を介して、自宅のパソコンに画像情報を転送できる。また同様に、報道関係であれば、現場で撮影した電子写真を専用のメモリーカードに記録することで、簡単に本社のサーバーに送信できる。等々。
【００９０】
また、専用のメモリーカードは、ICカードの一種であり、電話料金等の自動決算機能がついており、自動的に送信料金が所定の銀行口座から引き落とされる。
【図面の簡単な説明】
【００９１】
【図１】図１は、第一実施形態であり、電子カメラ（図２）の回路ブロック図を示す。
【図２】図２は、電子カメラを背面から見た図である。
【図３】図３は、電子カメラの表示装置の表示状態の説明図である。
【図４】図４は、図１の電子カメラのマイクロコンピュータのフローチャート図である。
【図５】図５は、第二実施形態であり、図５(A)は、電子カメラの外観図であり、図５(B)は、電子カメラのブロック図を示す。
【図６】図６は、電子カメラのマイクロコンピュータのフローチャート図である。
【図７】図７は、第二実施形態であり、図７(A)は、送信装置である携帯電話の外観図であり、図７(B)は、携帯電話のブロック図である。
【図８】図８は、携帯電話のマイクロコンピュータのフローチャート図である。
【図９】図９は、第三実施形態であり、図５の電子カメラのマイクロコンピュータのフローチャート図である。
【図１０】図１０は、画像送信装置である電話機の斜視図である。
【図１１】図１１は、図１０の電話機のマイクロコンピュータのフローチャート図である。
【符号の説明】
【００９２】
ＣＡ：電子カメラ
１：電子カメラのマイクロコンピュータ
１ａ：関連付け処理部
１ｂ：メモリ部
６：表示部
７：電話番号リストメモリ
１２：赤外線発振器
２１：電話送信回路
３０：メモリーカード
４０：携帯電話
４１：携帯電話のマイクロコンピュータ
４１ａ：自動送信回路
４２、５２：表示装置
５４：キャンセルスイッチ
５５：送信スイッチ
【図１】
2008295073.tif 000003
【図２】
2008295073.tif 000004
【図３】
2008295073.tif 000005
【図４】
2008295073.tif 000006
【図５】
2008295073.tif 000007
【図６】
2008295073.tif 000008
【図７】
2008295073.tif 000009
【図８】
2008295073.tif 000010
【図９】
2008295073.tif 000011
【図１０】
2008295073.tif 000012
【図１１】
2008295073.tif 000013